(57)【特許請求の範囲】
【請求項１】
撮像画像を保存記録する電子カメラにおいて、
被写体像を撮像し画像データを出力する撮像手段と、
この撮像手段から出力された画像データを第１の画像データ記録メディアに保存記録する第１の保存記録手段と、
この第１の保存記録手段により前記第１の画像データ記録メディアに保存記録された画像データのうちのいずれかを選択する選択手段と、
この選択手段により選択された画像データを、該画像データよりも画素が粗く情報量の少ない画像データの形態で前記第１の画像データ記録メディアとは異なる第２の画像データ記録メディアに保存記録する第２の保存記録手段と、
この第２の保存記録手段により前記第２の画像データ記録メディアに保存記録された画像データを読み出して表示手段に表示させる表示制御手段と
を具備したことを特徴とする電子カメラ。
【請求項２】
前記表示制御手段は、前記第１の保存記録手段により前記第１の画像データ記録メディアに保存記録された画像データを読み出して前記表示手段に表示させる手段を含み、
前記選択手段は、前記表示制御手段により前記第１の画像データ記録メディアから読み出されて前記表示手段に表示される画像データのうちのいずれかを選択することを特徴とする請求項１記載の電子カメラ。
【請求項３】
前記第１及び第２の保存記録手段は、前記画像データをカメラ本体に対して着脱可能な前記第１及び第２の画像データ記録メディアに保存記録することを特徴とする請求項１又は２記載の電子カメラ。
【発明の詳細な説明】
【０００１】
【発明の属する技術分野】
本発明は、撮像画像を保存記録する電子カメラに関する。
【０００２】
【従来の技術】
近年、フロッピーディスクや半導体メモリに撮影した画像データを記憶する電子カメラが実用化されている。この電子カメラは、撮影した直後でも現像処理することなく直ちに再生してモニタあるいはＴＶ画面等に表示して撮影画像の確認を行なったり、外部の画像再生装置にフロッピーディスクを装着してモニタに再生表示して撮影画像の確認を行なうことができる。
【０００３】
【発明が解決しようとする課題】
しかしながら、上記電子カメラは、撮影により得た画像データを常に特定の記録形態で保存記録するものであり、これが画像データの保存記録を行なう際の制約となっていた。
【０００４】
本発明は上記実情に鑑みて成されたもので、異なる記録形態による画像データの保存記録を可能とすることにより保存記録を行なう際の使い勝手を向上させた電子カメラを提供することを目的とする。
【０００６】
【課題を解決するための手段】
本発明は、撮像画像を保存記録する電子カメラにおいて、被写体像を撮像し画像データを出力する撮像手段と、この撮像手段から出力された画像データを第１の画像データ記録メディアに保存記録する第１の保存記録手段と、この第１の保存記録手段により前記第１の画像データ記録メディアに保存記録された画像データのうちのいずれかを選択する選択手段と、この選択手段により選択された画像データを、該画像データよりも画素が粗く情報量の少ない画像データの形態で前記第１の画像データ記録メディアとは異なる第２の画像データ記録メディアに保存記録する第２の保存記録手段と、この第２の保存記録手段により前記第２の画像データ記録メディアに保存記録された画像データを読み出して表示手段に表示させる表示制御手段とを具備したことを特徴とする電子カメラである。
また、前記表示制御手段は、前記第１の保存記録手段により前記第１の画像データ記録メディアに保存記録された画像データを読み出して前記表示手段に表示させる手段を含み、前記選択手段は、前記表示制御手段により前記第１の画像データ記録メディアから読み出されて前記表示手段に表示される画像データのうちのいずれかを選択するようにしてもよい。
また、前記第１及び第２の保存記録手段は、前記画像データをカメラ本体に対して着脱可能な前記第１及び第２の画像データ記録メディアに保存記録するようにしてもよい。
【０００７】
【発明の実施の形態】
以下、図面を参照して本発明の一実施例を説明する。本発明による画像処理システムは、電子スチルカメラ及び電子手帳により構成されるが、先ず、電子スチルカメラの構成について説明する。図１は本発明を適用した電子スチルカメラ１０の背面斜視図である。この電子スチルカメラ１０の外形形状は、ほぼ従来の一眼レフカメラと同様に形成されており、外観としては、直方体形状のカメラ本体１１と、前面側に突出した円筒状のレンズ部１２とからなっている。カメラ本体１１には、頂面に設けられていて、シャッターとして機能するレリーズスイッチ１３と、背面に設けられていて、被写体を硯るためのファインダ１４、動作モード等を指定するキー入力部１５及び撮影画像等を表示する液晶表示パネル１６と、その側部に設けられていて、撮影したスチル画像情報が例えば５０枚磁気記録される磁気記録媒体としての磁気シート（フロッピーディスク）を含むジャケット筺体すなわちＦＤ１７及び撮影したスチル画像情報が例えば１０枚記憶される半導体メモリを備えたＩＣカード１８をそれぞれ収納するための磁気記録装置部１９とが設けられている。図画からも見られるように、ＦＤ１７及びＩＣカード１８はカメラに着脱可能な単体のユニットとして構成され、このため磁気記録装置部１９には、ＦＤ１７及びＩＣカード１８の着脱に際して開かれる２つのカバー２０，２１が前後に設けられている。これらのカバー２０，２１が開かれた場合にＦＤの挿入開口１９ａ  とＩＣカードの挿入開口１９ｂ  とが上側で露出されるようになっている。
【０００８】
図２は、上記図１の電子スチルカメラ１０の全体回路構成を示している。同図において３１は光学系で、レンズ部１２，シャッター３２，ＣＣＤ（Ｃｈａｒｇｅ  Ｃｏｕｐｌｅｄ  Ｄｅｖｉｃｅ  ）などの撮像素子３３等により構成され、オートフォーカス機構及びＥＥ機構により、ピント，露出等が自動的に合わせられるようになっている。また、３４はシャッター制御回路で、レリーズスイッチ１３の操作に応じてシャッター３２を制御する。上記レリーズスイッチ１３は、信号ライン３６ａ  ，３６ｂ  によりシャッター制御回路３４に接続しており、レリーズスイッチ１３に人の指が触れると（軽く押すと）信号ライン３６ａ  を介してタッチ信号をシャッター制御回路３４に送り、レリーズスイッチ１３が押されると信号ライン３６ｂ  を介してＯＮ信号をシャッター制御回路３４に出力する。このシャッター制御回路３４は、レリーズスイッチ１３からタッチ信号が送られてくるとスタンバイモードとなり、オートフォーカス、ＥＥ機構によりピント及び露出を決定する共に、例えば１／６０秒の間隔でシャッター３２を動作させる。
【０００９】
そして、上記シャッター３２の動作に伴い、被写体像がレンズ部１２及びシャッター３２を介して撮像素子３３の面に結像され、撮像素子３３から被写体像に対する信号、つまり、撮像信号が信号処理回路３７へ送られる。上記撮像素子３３は、例えば光電変換半導体セルを多数個配列して構成され、これらセルを信号処理回路３７が順次走査することにより、一般のテレビジョン信号に準じたビデオ信号、つまり、輝度信号Ｙ及び色差信号Ｒ−Ｙ，Ｂ−Ｙを得ている。この信号処理回路３７から出力される画像信号は、信号ラインａを介して表示制御回路３８へ送られ、また、スイッチＳＷ１  を介して変調回路３９へ送られると共にスイッチＳＷ２  を介してＡ／Ｄ変換回路４１へ送られる。上記スイッチＳＷ１  ，ＳＷ２  は、制御回路４４からのスイッチ信号Ｓ１  ，Ｓ２  によりオン／オフ制御される。上記Ａ／Ｄ変換回路４１は、信号処理回路３７から送られてくる輝度信号Ｙ及び色差信号Ｒ−Ｙ，Ｂ−Ｙをそれぞれデジタルデータに変換し、上記ＩＣカード１８に出力する。このＩＣカード１８には、Ａ／Ｄ変換回路４１から送られてくる画像データがメモリ制御回路４３の制御に従って順次記憶される。また、上記メモリ制御回路４３には、制御回路４４から制御信号が与えられると共に、シャッター制御回路３４からシャッター信号が与えられる。上記メモリ制御回路４３は、撮影モードにおいてシャッター制御回路３４からレリーズスイッチ１３のＯＮ信号が与えられるとＩＣカード１８への画像データの書込み制御を行なう。
【００１０】
一方、メモリ制御回路４３は、制御回路４４からの制御指令に応じてＩＣカード１８の記憶画像を読出し、Ｄ／Ａ変換回路４５に入力する。上記ＩＣカード１８から読出された画像は、Ｄ／Ａ変換回路４５によりアナログ信号に変換され、信号ラインｂを介して表示制御回路４８へ送られる。
【００１１】
また、上記変調回路３９は、信号処理回路３７からスイッチＳＷ１  を介して与えられる信号を変調して記録回路４６へ出力する。この記録回路４６は、変調回路３９から送られてくる信号に基づいて記録ヘッド４７ａ  を駆動し、上記ＦＤ１７内に収納されている磁気シートに環状トラックを形成するように画像情報を記録する。
【００１２】
上記ＦＤ１７に記録された画像情報は、再生モードにおいて再生ヘッド４７ｂ  （一般には記録ヘッド４７ａ  と共用）により読出され、再生回路５１を介して復調回路５２へ送られる。この復調回路５２は、再生信号を復調してエンコーダ５３に入力し、元の輝度信号Ｙ及び色差信号Ｒ−Ｙ，Ｂ−Ｙに戻して表示制御回路３８へ出力する。この表示制御回路８８は、信号ラインａ，ｂ，ｃにより入力される３系統の画像信号を制御回路４４からの指示に従って選択し、ファインダ１４及び液晶表示パネル１６に出力して表示する。
【００１３】
また、上記制御回路４４には、シャッター制御回路３４からシャッター信号が与えられると共にキー入力部１５が接続される。このキー入力部１５には、撮影モード，再生モード、ＩＣカード読出し／書込みモード等の動作モードを指定する動作モード指定キー、動作モードに応じてＩＣカード１８あるいはＦＤ１７の読出しアドレスを前後させるフォワードキー及びバックキー等の各種操作キーが設けられている。上記制御回路４４は、キー入力部１５からのキー入力信号、シャッター制御回路３４からのシャッ夕ー信号に応じてスイッチＳＷ１  ，ＳＷ２  をオン／オフ制御すると共に、メモリ制御回路４３，表示制御回路３８及び他の回路に制御指令を与える。
【００１４】
しかして、上記のように構成された電子スチルカメラにより写真を撮る場合には、キー入力部１５のキー操作により撮影モードを指定する。また、撮影画像をＩＣカード１８に記憶させる場合には、ＩＣカード１８への書込みモードを指定する。以下、このＩＣカード書込みモードか指定された場合の動作について説明する。制御回路４４は、上記撮影モード、ＩＣカード書込みモード等のモード指定に応じて、メモリ制御回路４３に制御信号を出力すると共にスイッチＳＷ１  、ＳＷ２  をオフする。更に制御回路４４は、表示制御回路８８に対し、信号ラインａを選択してファインダ１４に出力するように指示する。この状態で撮影者がレリーズスイッチ１３に指を軽く触れると、タッチ信号が信号ライン３６ａ  を介してシャッター制御回路３４へ送られる。シャッター制御回路３４は、タッチ信号が送られてくると、スタンバイモードとなり、オートフォーカス機構、ＥＥ機構によりピント、露出を決定すると共にシャッター３２を１／６０秒毎に動作させる。これにより被写体像がレンズ部１２及びシャッター３２を介して撮像素子３３の面に結像され、撮像素子３３から投影像に応じた輝度信号Ｙ及び色差信号Ｒ−Ｙ，Ｂ−Ｙが出力され、信号ラインａを介して表示制御回路３８へ送られる。表示制御回路３８は、信号ラインａにより送られてくる信号を制御回路４４の指示に従って選択し、ファインダ１４に表示する。このファインダ１４への表示により撮影者は、被写体の状態を確認することができ、シャッター操作が可能となる。
【００１５】
そして、撮影者がレリーズスイッチ１３を押すと、ＯＮ信号が信号ライン３６ｂ  を介してシャッター制御回路３４へ送られる。シャッター制御回路３４は、ＯＮ信号が与えられると、そのＯＮ信号をメモリ制御回路４３及び制御回路４４に出力する。
【００１６】
上記制御回路４４は、上記シャッターＯＮが与えられると、一定時間例えば１／６０秒の間、スイッチＳＷ１  ，ＳＷ２  をオンさせる。このスイッチＳＷ１  ，ＳＷ２  がオンすることにより、上記レリーズスイッチ１３のＯＮ時点における信号処理回路３７の出力信号、つまり、輝度信号Ｙ及び色差信号Ｒ−Ｙ，Ｂ−Ｙが変調回路３９及びＡ／Ｄ変換回路４１に入力される。上記変調回路３９は、信号処理回路３７から送られてくる画像信号を変調して記録回路４６へ出力する。この記録回路４６は、変調回路３９からの信号に基づいて記録ヘッド４７ａ  を駆動し、ＦＤ１７内に収納されている磁気シートに環状トラックを形成するように画像情報を記録する。一方上記Ａ／Ｄ変換回路４１は、信号処理回路３７から送られてくる画像信号をデジタルデータに変換してＩＣカード１８に入力する。このときメモリ制御回路４３は、シャッター制御回路３４からのシャッターＯＮ信号に従ってＩＣカード１８の書込み制御を行ない、Ａ／Ｄ変換回路４１から出力される画像情報をＩＣカード１８に記憶させる。
【００１７】
以下、同様にしてレリーズスイッチ１３が押されると、その時の撮影した画像情報がＦＤ１７に記録されると共にＩＣカード１８に記憶される。
【００１８】
なお、ＩＣカード１８への書込みモードを指定していない場合には、レリーズスイッチ１３を押した時にスイッチＳＷ１  のみがオンし、撮影した画像情報はＦＤ１７にだけ記録され、ＩＣカード１８への画像記憶は行なわれない。
【００１９】
上記のようにしてＩＣカード１８に記憶した画像を確認したい場合には、キー入力部１５のキー操作によりＩＣカード１８の読出しモードを指定する。このＩＣカード１８の読出しモードが指定されると、制御回路４４はメモリ制御回路４３にＩＣカード１８の読出しを指示すると共に、表示制御回路３８に信号ラインｂを選択してファインダ１４及び液晶表示パネル１６に出力するように指示する。メモリ制御回路４３は、制御回路４４からの指示に基づきＩＣカード１８の先頭アドレスに記憶している画像情報を読出し、Ｄ／Ａ変換回路４５及び信号ラインｂを介して表示制御回路３８へ出力し、ファインダ１４及び液晶表示パネル１６に表示する。この状態でキー入力部１５のフォワードキーを操作することにより、ＩＣカード１８に記憶されている撮影画像がメモリ制御回路４３の制御により順次読出され、表示制御回路３８を介してファインダ１４及び液晶表示パネル１６に表示される。これによりＩＣカード１８に記憶した画像を確認することができる。
【００２０】
また、上記ＦＤ１７に記録した画像を再生したい場合は、再生モードを指定する。制御回路４４は、再生モードが指定されると、表示制御回路３８に信号ラインｃを選択してファインダ１４及び液晶表示パネル１６に出力するように指示すると共に、ＦＤ１７に記録されている最初の画像を再生ヘッド４７ｂ  により読出し、再生回路５１により増幅した後、復調回路５２に入力して復調動作を行なわせる。この復調回路５２により復調された信号は、エンコーダ５３に入力されて元の輝度信号Ｙ及び色差信号Ｒ−Ｙ，Ｂ−Ｙに戻され、信号ラインｃを介して表示制御回路３８に送られる。この表示制御回路３８は、エンコーダ５８から送られてくる画像信号を制御回路４４の指示に従って選択してファインダ１４及び液晶表示パネル１６に表示する。また、この状態でフォワードキーを操作することによってＦＤ１７の記録画像が順次読出され、ファインダ１４及び液晶表示パネル１６に表示される。
【００２１】
次に上記電子スチルカメラ１０から読出したＩＣカード１８をセットしてその記憶画像を表示する電子手帳の構成について説明する。この電子手帳は、カラー液晶テレビ機能とデータバンク機能を備えたもので、図３ないし図５に示すように構成される。
【００２２】
図３は本発明を適用した電子手帳６０の外観構成を示すもので、同図（ａ）は手帳を開いた状態を示す図、同図（ｂ）は底面側から見た図である。図３において６１はケースで、手帳形式となっており、表紙６２とケース本体６３からなっている。このケース本体６３は、表紙６２の内側に設けられ、手帳を開くと左側のページに位置するようになっている。また、上記表紙６２には、左右に開閉できるように中央部の縦方向にヒンジ部６４が形成されている。
【００２３】
そして、ケース本体６３の前面には、上方部位にカラー液晶パネル６５が配置され、その下方にテレビ電源スイッチ６６、チューニング用のアップキー６７ａ  及びダウンキー６７ｂ  が配置されると共に、スピーカ６８が設けられる。上記テレビ電源スイッチ６６は、テレビのメイン電源をオン／オフすると共に、電源オンの状態においてテレビのＶＨＦ／ＵＨＦ受信モードを切換えられるようになっている。更にケース本体６３の下側には図３（ｂ）に示すようにＩＣカード挿入開口７０が設けられ、このＩＣカード挿入開口７０内に上記ＩＣカード１８を挿入することにより、その記憶情報が後述する内部回路により読取られるようになっている。
【００２４】
また一方、表紙６２の内側の右側のページには、キーボード６９が設けられ、上記ケース本体６３内の電子回路に接続される。このキーボード６９には、データ処理用の各種入力キー及びデータ処理モードとテレビモードを切換指定するモードキー等が設けられている。
【００２５】
図４は、上記ケース本体６３内に設けられる電子回路の全体の構成を示すブロック図である。同図において７１はアンテナで、チューナ７２に接続される。このチューナ７２は、アンテナ７１で受信した電波の中から指定チャンネルの電波を選択し、増幅及び中間周波数への変換を行なってテレビリニア回路７３へ出力する。テレビリニア回路７３は、チューナ７２からの中間周波信号を増幅すると共に映像検波及びカラー処理を行ない、中間周波信号ＩＦ及びカラー信号Ｒ，Ｇ，Ｂを制御回路７４へ出力する。この制御回路７４は、テレビ映像信号の表示制御及びデータ処理部（データバンク）の制御を行なうと共に、ＩＣカード挿入開口７０に挿入されるＩＣカード１８の情報読取り制御を行なうもので、その詳細については後述する。また、上記テレビリニア回路７３は、同期信号を含む複合映像信号を同期分離回路７５へ出力すると共に音声信号を音声回路７６へ出力する。この音声回路７６は、テレビリニア回路７３からの音声信号を検波し、増幅して上記スピーカ６８を駆動する。
【００２６】
一方、同期分離回路７５は、複合映像信号から垂直同期信号φＶ  及び水平同期信号φＨ  を分離して制御回路７４へ出力する。この制御回路７４には、更にキー入力部７７及び電源回路７８が接続される。上記キー入力部７７は、上記テレビ電源スイッチ６６，アップキー６７ａ  ，ダウンキー６７ｂ  及びキーボード６９により構成される。制御回路７４は、キー入力部７７におけるアップキー６７ａ  ，ダウンキー６７ｂ  が操作された際、中間周波信号ＩＦを参照してチューニング電圧ＶＴ  をチューナ７２に出力し、隣接チャンネルを選択するためのチューニング制御を行なう。また、制御回路７４は、キー入力部７７により指定されるモード信号に応じてテレビＯＮ／ＯＦＦ信号ａ，音声ＯＮ／ＯＦＦ信号ｂ，データバンクＯＮ／ＯＦＦ信号ｃを電源回路７８に与える。この電源回路７８は、制御回路７４及びその他の回路に動作電圧を供袷するもので、上記制御回路７４からのＯＮ／ＯＦＦ信号ａ，ｂ，ｃに応じて各回路部への動作電圧をＯＮ／ＯＦＦする。
【００２７】
更に、上誌制御回路７４は、内部に設けられているＡ／Ｄ変換回路によりテレビリニア回路７３からのカラー信号Ｒ，Ｇ，Ｂをそれぞれ４ビットのデジタルデー夕Ｄ１  〜Ｄ４  に変換してシフトレジス夕７９へ出力すると共に、内部回路により各種タイミング信号φ１  ，φ２  ，φｃ  ，φＦ  ，φｎ  ，ＳＲを発生して各回路部へ出力する。上記シフトレジスタ７９は、色別に３系統設けられており、制御回路７４から出力されるクロックパルスφ１  ，φ２  により、上記デー夕（Ｄ１  〜Ｄ４  ）×３を色別に順次読込んでシフトし、その読込んだデータをラッチ回路８０へ出力する。このラッチ回路８０は、シフトレジスタ７９からのデータをタイミング信号φｎ  に同期してラッチし、ドライバ８１へ出力する。このドライバ８１には、電源回路７８から液晶用駆動電圧が供給されると共に、制御回路７４から階調信号作成用クロックφｃ  及びフレーム信号φＦ  が入力される。上記ドライバ８１は、ラッチ回路８０にラッチされたデータに従って階調信号を作成し、カラー液晶パネル６５のセグメント電極Ｙ１  〜Ｙ４０８  をＲ，Ｇ，Ｂの色別に表示駆動する。この場合、ドライバ８１から出力される駆動信号は、フレームφＦ  に同期して反転する。上記カラー液晶パネル６５は、例えば２．７インチの大きさで、信号電極がＲ，Ｇ，Ｂの色別に各１３６ドット（合計４０８ドット）、走査電極が１１９ライン設けられている。また、上記カラー液晶パネル６５に対するデータバンクからのデータ表示は、例えば１７×１７（×３）ドットのキャラクタエリアに１６×１６（×３）ドットのキャラクタが表示されるようになっている。従って、カラー液晶パネル６５には、横方向に８文字、縦方向に７文字が表示される。
【００２８】
また、上記制御回路７４からはシフトデータＳＲ及びシフトクロックφｎ  がコモン側シフトレジスタ８２へ送られる。このシフトレジスタ８２は、上記シフトデー夕ＳＲをシフトクロックφｎ  により読込んで順次シフトし、ドライバ８３へ出力する。このドライバ８３には、更に制御回路７４からフレーム信号φＦ  が与えられると共に、電源回路７８から液晶駆動電圧が供給される。上記ドライバ８３は、シフトレジス夕８２からのシフトデータに応じてカラー液晶パネル６５の走査電極Ｘ１  〜Ｘ１１９  を順次選択的に駆動する。
【００２９】
図５は上記制御回路７４の詳細を示すブロック図である。同図において９１はＣＰＵで、上記キー入力部７７が接続されると共に、タイミング発生回路９２からクロックパルスが与えられる。このタイミング発生回路９２は、上記同期分離回路７５から与えられる水平同期信号ＣＨ  ，垂直同期信号φＶ  に基づいてＣＰＵ９１へのクロックパルスを発生すると共に、上記したタイミング信号ＳＲ，φｎ  ，φｃ  ，φ１  ，φ２  ，φＦ  を発生する。
【００３０】
上記ＣＰＵ９１は、キー入力部７７からの動作設定モードに応じて上記ＯＮ／ＯＦＦ信号ａ，ｂ，ｃを発生し、上記電源回路７８へ出力する。また、ＣＰＵ９１は、キー入力部７７におけるアップキー６７ａ  ，ダウンキー６７ｂ  の操作に応じてアップ／ダウン制御指令ＵＰ／ＤＯＷＮをテレビ制御回路９３へ出力する。このテレビ制御回路９３は、ＣＰＵ９１からアップ／ダウン制御指令ＵＰ／ＤＯＷＮが与えられると、テレビリニア回路７３からの中間周波信号ＩＦを参照してチューニング電圧ＶＴ  を発生し、チューナ７２に出力する。
【００３１】
また、ＣＰＵ９１には、バスライン９４を介してデータメモリ９５，辞書ＲＯＭ９６，演算レジス夕９７，表示メモリ９８が接続されると共に、ＩＣカード挿入開口７０に挿入されるＩＣカード１８が接続される。上記表示メモリ９８は、Ｒ，Ｇ，Ｂの色別に１画面分の表示データを記憶するように構成されている。上記ＣＰＵ９１，データメモリ９５，辞書ＲＯＭ９６，演算レジス夕９７，表示メモリ９８の部分は、データ処理部（データバンク）を構成するもので、表示メモリ９８の保持データが表示ポート９９へ送られる。また、この表示ポート９９には、テレビリニア回路７３から送られてくる色信号Ｒ，Ｇ，ＢがＡ／Ｄ変換回路１００  を介して入力される。Ａ／Ｄ変換回路１００  は、電源回路７８から与えられる上限基準電圧ＶＨ  及び下限基準電圧ＶＬ  に基づいてアナログ色信号Ｒ，Ｇ，Ｂをそれぞれ４ビットのデジタルデータＤ１  〜Ｄ４  に変換し、表示ポート９９に出力する。この表示ポート９９には、更にＣＰＵ９１からその時の動作モードに応じた表示切換え信号がコントロールバス１０１  を介して与えられる。上記表示ポート９９は、ＣＰＵ９１からの表示切換え信号に応じて表示メモリ９８の保持データあるいはＡ／Ｄ変換回路１００  の出力データを選択してシフトレジスタ７９へ出力する。そして、上記制御回路７４は、ＣＰＵ９１及びデータメモリ９５に対して常時電波電圧が供袷されている。
【００３２】
上記のように構成された電子手帳において、ＴＶモードを指定する場合には、テレビ電源スイッチ６６により電源をＯＮしてＶＨＦあるいはＵＨＦの受信モードを指定する。そして、このＴＶモードからデータバンクモードに切換える時、及びこのデータバンクモードからＴＶモードに戻す時にはキーボード６９上のモードキーを操作する。また、ＩＣカード挿入開口７０に挿入したＩＣカード１８の記録画像を読出してカラー液晶パネル６５に表示する場合には、上記データバンクモードにおいてＩＣカード読出しモードを指定する。
【００３３】
上記キーボード６９におけるモードキーの操作によりデータバンクモードを指定すると、ＣＰＵ９１は電波回路７８に出力しているテレビＯＮ／ＯＦＦ信号ａをローレベル、データバンクＯＮ／ＯＦＦ信号ｃをハイレベルに切換え、ＴＶ映像回路の電源をＯＦＦさせると共にデータバンクの電源をＯＮさせる。次いでＣＰＵ９１は表示ポート９９に表示切換え指令を出力し、表示ポート９９を表示メモリ９８側に切換える。これにより表示メモリ９８の保持データが表示ポート９９により選択されて図４のシフトレジスタ７９へ送られるようになり、カラー液晶パネル６５の表示がデータバンク側に切換えられる。従って、この状態でキーボード６９よりデータ入力を行なえば、データバンクの機能が動作し、入力データ，処理データ等がカラー液晶パネル６５に表示される。このデータバンクモードでは、例えば電話番号の登録、検索、修正、演算等のデータ処理を行なうことができる。
【００３４】
そして、上記データバンクモードにおいてＩＣカード読出しモードを指定すると、ＣＰＵ９１によりＩＣカード１８から先頭アドレスの画像情報が読出され、表示メモリ９８に書込まれる。この表示メモリ９８に記憶された画像情報は、表示ポート９９により順次読出されてシフトレジスタ７９へ送られ、カラー液晶パネル６５に表示される。そして、この状態でキーボード６９におけるフォワードキーを操作すると、ＣＰＵ９１はＩＣカード１８から次のアドレスに記憶されている画像情報を読出して表示メモリ９８に書込む。従って、カラー液晶パネル６５には、表示メモリ９８に記憶された次の画像が表示される。以下、同様にしてフォワードキーを操作することにより、ＩＣカード１８に記憶されている画像情報が表示メモリ９８に順次読出され、カラー液晶パネル６５に表示される。また、この際、キーボード６９に設けられているバックキーを操作することにより、カラー液晶パネル６５の表示画像を前に戻すこともできる。更に数値キーの操作によりＩＣカード１８の記憶アドレスを直接指定して、任意画像をカラー液晶パネル６５に表示させることも可能である。
【００３５】
上記のようにしてＩＣカード１８の記憶画像を電子手帳のカラー液晶パネル６５に表示させることができる。
【００３６】
そして、上記のデータバンクモードからＴＶモードに切換える場合には、キーボード６９のモードキーにより「ＴＶ」モードを指定する。この「ＴＶ」モードが指定されると、ＣＰＵ９１は電源回路７８へのテレビＯＮ／ＯＦＦ信号ａをハイレベルとし、ＴＶ映像回路の電源をＯＮさせると共に、データバンクＯＮ／ＯＦＦ信号ｃをローレベルとし、データバンクの電源をＯＦＦさせる。更にＣＰＵ９１は表示ポート９９に表示切換信号を送り、表示ポート９９をＡ／Ｄ変換回路１００  側に切換える。これによりテレビモードとなり、ＴＶ画像が表示ポート９９により選択され、カラー液晶パネル６５に表示されるようになる。
【００３７】
なお、上記図２の実施例における電子スチルカメラでは、シャッ夕ー操作時の撮影画像を選択的にＩＣカードに記憶するようにしたが、その他、撮影を終了した後にＦＤ１７の記録画像を液晶表示パネル１６に表示して確認し、任意画像を選択してＩＣカード１８に記憶するようにしてもよい。この場合には、エンコーダ５３の出力信号を選択操作によりオン／オフされるスイッチを介してＡ／Ｄ変換回路４１に入力することにより、簡単に実施することができる。
【００３８】
また、上記電子スチルカメラでは、レリーズスイッチ１３に指を触れた時にシャッター制御により得た画像をファインダ１４のみに表示するようにしたが、同時に液晶表示パネル１６にも表示するようにしてもよい。
【００３９】
更に上記電子スチルカメラでは、ＦＤ１７に記録する画像と同じ情報量の画像をＩＣカード１８に記憶するようにしたが、画像の情報量を低くしてより多数の画像をＩＣカード１８に記憶するようにしてもよい。例えば画像情報をモノクロにしたり、階調を落としたり、画素を粗くしたり等の手段により画像の情報量を低下させることができる。
【００４０】
【発明の効果】
以上詳記したように本発明によれば、異なる記録形態による画像データの保存記録を可能としたことにより、画像データの保存記録を行なう際の自由度が増し、結果として、使い勝手を向上させることができる。
【図面の簡単な説明】
【図１】電子スチルカメラの背面斜視図である。
【図２】電子スチルカメラの全体回路構成を示すブロック図である。
【図３】（ａ）は電子手帳の外観構成を示す正面図、（ｂ）は同図（ａ）の底面図である。
【図４】電子手帳の全体回路構成を示すブロック図である。
【図５】図４における制御回路の詳細を示すブロック図である。
【符号の説明】
１０…電子スチルカメラ、１１…カメラ本体、１２…レンズ部、１３…レリーズスイッチ、１４…ファインダ、１５…キー入力部、１６…液晶表示パネル、１７…ＦＤ、１８…ＩＣカード、１９…磁気記録装置部、２０，２１…カバー、３１…光学系、３２…シャッター、３３…撮像素子、３４…シャッター制御回路、３６ａ  ，３６ｂ  …信号ライン、３７…信号処理回路、３８…表示制御回路、３９…変調回路、４１…Ａ／Ｄ変換回路、４３…メモリ制御回路、４４…制御回路、４５…Ｄ／Ａ変換回路、４６…記録回路、４７ａ  …記録ヘッド、４７ｂ  …再生ヘッド、５１…再生回路、５２…復調回路、５３…エンコーダ、ＳＷ１  ，ＳＷ２  …スイッチ、６１…ケース、６２…表紙、６３…ケース本体、６４…ヒンジ部、６５…カラー液晶パネル、６６…テレビ電源スイッチ、６７ａ  …アップキー、６７ｂ  …ダウンキー、６８…スピーカ、６９…キーボード、７２…チューナ、７３…テレビリニア回路、７４…制御回路、７５…同期分離回路、７６…音声回路、７７…キー入力部、７８…電源回路、７９…シフトレジスタ、８０…ラッチ回路、８１…ドライバ、８２…シフトレジスタ、８３…ドライバ、９１…ＣＰＵ、９２…タイミング発生回路、９３…テレビ制御回路、９４…バスライン、９５…データメモリ、９６…辞書ＲＯＭ、９７…演算レジスタ、９８…表示メモリ、９９…表示ポート、１００  …Ａ／Ｄ変換回路、１０１  …コントロールバス。
【図１】
0003548978.tif 000002
【図２】
0003548978.tif 000003
【図３】
0003548978.tif 000004
【図４】
0003548978.tif 000005
【図５】
0003548978.tif 000006